【手続補正書】
【提出日】平成29年7月13日(2017.7.13)
【手続補正１】
【補正対象書類名】特許請求の範囲
【補正対象項目名】全文
【補正方法】変更
【補正の内容】
【特許請求の範囲】
【請求項１】
ビデオ情報を符号化するように構成された装置であって、前記装置が、
ビデオ情報を備えるレイヤ間参照ピクチャを記憶するように構成されたメモリユニットと、
前記メモリに動作可能に結合されたプロセッサと
を備え、前記プロセッサが、
前記レイヤ間参照ピクチャを、（ｉ）複数のリーフ、ここにおいて、前記複数のリーフの各々は、関連するクロマピクセルを含む、および（ｉｉ）前記クロマピクセルに関連する複数のルーマピクセルを有する４分木構造に区分することと、
前記クロマピクセルのプロパティと、前記複数のルーマピクセルのうちの１つまたは複数のプロパティとに基づいて前記複数のリーフのサブセットによって共有されるコンポーネント間フィルタパラメータを決定することと、
前記クロマピクセルのプロパティと、前記複数のルーマピクセルのうちの１つまたは複数のプロパティとに基づいて各個々のリーフに固有のコンポーネント間フィルタパラメータを決定することと、ここにおいて、前記共有されるコンポーネント間フィルタパラメータまたは前記固有のコンポーネント間フィルタパラメータが、ハイパスフィルタ係数、量子化パラメータ、またはシフトパラメータのうちの少なくとも１つを備える、
前記複数のリーフの前記サブセットの親ノードのための前記共有されるコンポーネント間フィルタパラメータをシグナリングし、前記リーフの各々のための前記固有のコンポーネント間フィルタパラメータをシグナリングすることと
を行うように構成された、装置。
【請求項２】
前記プロセッサが、前記レイヤ間参照ピクチャの、ピクチャ解像度、最小コーディングユニットサイズ、最大コーディングユニットサイズ、またはタイルサイズ（tile size）に基づいて前記レイヤ間参照ピクチャを区分するようにさらに構成された、請求項１に記載の装置。
【請求項３】
前記プロセッサは、選択されたリーフと前記選択されたリーフの空間ネイバーリーフ（spatial neighbor leaf）とが同じコンポーネント間フィルタパラメータを共有するように、前記選択されたリーフを前記空間ネイバーリーフとマージするようにさらに構成された、請求項１に記載の装置。
【請求項４】
前記プロセッサが、前記４分木構造の４分木区分（quadtree partitioning）を示すために４分木深度情報（quadtree depth information）を使用するようにさらに構成された、請求項１に記載の装置。
【請求項５】
フィルタ係数、量子化パラメータ、またはシフトパラメータのうちの少なくとも１つが複数の前記リーフについて同じである、請求項１に記載の装置。
【請求項６】
前記プロセッサが、スライスヘッダ、適応パラメータセット（ＡＰＳ）、ピクチャパラメータセット（ＰＰＳ）またはシーケンスパラメータセット（ＳＰＳ）中で前記コンポーネント間フィルタパラメータをシグナリングするように構成された、請求項１に記載の装置。
【請求項７】
前記プロセッサが、異なるリーフに関連する２つのコンポーネント間フィルタパラメータ間の差分を示す差分情報をシグナリングすることによって前記コンポーネント間フィルタパラメータをシグナリングするように構成された、請求項１に記載の装置。
【請求項８】
前記プロセッサが、あらかじめ定義されたフィルタパラメータセットの１つまたは複数のインデックス値をシグナリングすることによって前記コンポーネント間フィルタパラメータをシグナリングするように構成された、請求項１に記載の装置。
【請求項９】
ビデオ情報を符号化する方法であって、前記方法が、
ビデオ情報を備えるレイヤ間参照ピクチャを記憶することと、
前記レイヤ間参照ピクチャを、（ｉ）複数のリーフ、ここにおいて、前記複数のリーフの各々は、関連するクロマピクセルを含む、および（ｉｉ）前記クロマピクセルに関連する複数のルーマピクセルを有する４分木構造に区分することと、
前記クロマピクセルのプロパティと、前記複数のルーマピクセルのうちの１つまたは複数のプロパティとに基づいて前記複数のリーフのサブセットによって共有されるコンポーネント間フィルタパラメータを決定することと、
前記クロマピクセルのプロパティと、前記複数のルーマピクセルのうちの１つまたは複数のプロパティとに基づいて各個々のリーフに固有のコンポーネント間フィルタパラメータを決定することと、ここにおいて、前記共有されるコンポーネント間フィルタパラメータまたは前記固有のコンポーネント間フィルタパラメータが、ハイパスフィルタ係数、量子化パラメータ、またはシフトパラメータのうちの少なくとも１つを備える、
前記複数のリーフの前記サブセットの親ノードのための前記共有されるコンポーネント間フィルタパラメータをシグナリングし、前記リーフの各々のための前記固有のコンポーネント間フィルタパラメータをシグナリングすることと
を備える、方法。
【請求項１０】
前記区分することが、前記レイヤ間参照ピクチャの、ピクチャ解像度、最小コーディングユニットサイズ、最大コーディングユニットサイズ、またはタイルサイズに基づいて前記レイヤ間参照ピクチャを区分することを備える、請求項９に記載の方法。
【請求項１１】
選択されたリーフと前記選択されたリーフの空間ネイバーリーフとが同じコンポーネント間フィルタパラメータを共有するように、前記選択されたリーフを前記空間ネイバーリーフとマージすることをさらに備える、請求項９に記載の方法。
【請求項１２】
前記４分木構造の４分木区分を示すために４分木深度情報を使用することをさらに備える、請求項９に記載の方法。
【請求項１３】
フィルタ係数、量子化パラメータ、またはシフトパラメータのうちの少なくとも１つが複数の前記リーフについて同じである、請求項９に記載の方法。
【請求項１４】
前記シグナリングすることが、異なるリーフに関連する２つのコンポーネント間フィルタパラメータ間の差分を示す差分情報をシグナリングすることによって前記コンポーネント間フィルタパラメータをシグナリングすることを備える、請求項９に記載の方法。
【請求項１５】
前記シグナリングすることが、あらかじめ定義されたフィルタパラメータセットの１つまたは複数のインデックス値をシグナリングすることによって前記コンポーネント間フィルタパラメータをシグナリングすることを備える、請求項９に記載の方法。
【請求項１６】
ビデオ情報を復号するように構成された装置であって、前記装置が、
ビデオ情報を備えるレイヤ間参照ピクチャを記憶するように構成されたメモリユニットと、
前記メモリに動作可能に結合されたプロセッサと
を備え、前記プロセッサは、
（ｉ）前記レイヤ間参照ピクチャがそれに区分される複数のリーフ、ここにおいて、前記複数のリーフの各々は、関連するクロマピクセルを含む、および（ｉｉ）前記クロマピクセルに関連する複数のルーマピクセルを有する４分木構造を示すパーティション情報を決定することと、
前記複数のリーフのサブセットの親ノードのための、前記複数のリーフの前記サブセットによって共有されるコンポーネント間フィルタパラメータを決定することと、
各個々のリーフに固有のコンポーネント間フィルタパラメータを決定することと、ここにおいて、前記親ノードのための前記共有されるコンポーネント間フィルタパラメータおよび各個々のリーフのための前記固有のコンポーネント間フィルタパラメータが、前記クロマピクセルのプロパティと、前記複数のルーマピクセルのうちの１つまたは複数のプロパティとに基づいており、ハイパスフィルタ係数、量子化パラメータ、またはシフトパラメータのうちの少なくとも１つを備える、
前記パーティション情報と前記共有されるおよび固有のコンポーネント間フィルタパラメータとを使用して前記レイヤ間参照ピクチャを復号することと
を行うように構成された、装置。
【請求項１７】
前記レイヤ間参照ピクチャの前記パーティション情報が、前記レイヤ間参照ピクチャの、ピクチャ解像度、最小コーディングユニットサイズ、最大コーディングユニットサイズ、またはタイルサイズに基づいている、請求項１６に記載の装置。
【請求項１８】
前記プロセッサは、選択されたリーフと前記選択されたリーフの空間ネイバーリーフとが同じコンポーネント間フィルタパラメータを共有するように、前記選択されたリーフを前記空間ネイバーリーフとマージするようにさらに構成された、請求項１６に記載の装置。
【請求項１９】
前記プロセッサが、前記４分木構造の４分木区分を決定するために４分木深度情報を使用するようにさらに構成された、請求項１６に記載の装置。
【請求項２０】
フィルタ係数、量子化パラメータ、またはシフトパラメータのうちの少なくとも１つが複数の前記リーフについて同じである、請求項１６に記載の装置。
【請求項２１】
前記プロセッサが、スライスヘッダ、適応パラメータセット（ＡＰＳ）、ピクチャパラメータセット（ＰＰＳ）またはシーケンスパラメータセット（ＳＰＳ）から前記コンポーネント間フィルタパラメータを受信するように構成された、請求項１６に記載の装置。
【請求項２２】
前記プロセッサが、異なるリーフに関連する２つのコンポーネント間フィルタパラメータ間の差分を示す差分情報を受信することによって前記コンポーネント間フィルタパラメータを決定するように構成された、請求項１６に記載の装置。
【請求項２３】
前記プロセッサが、あらかじめ定義されたフィルタパラメータセットの１つまたは複数のインデックス値を受信することによって前記コンポーネント間フィルタパラメータを決定するように構成された、請求項１６に記載の装置。
【請求項２４】
ビデオ情報を復号する方法であって、前記方法は、
ビデオ情報を備えるレイヤ間参照ピクチャを記憶することと、
（ｉ）前記レイヤ間参照ピクチャがそれに区分される複数のリーフ、ここにおいて、前記複数のリーフの各々は、関連するクロマピクセルを含む、および（ｉｉ）前記クロマピクセルに関連する複数のルーマピクセルを有する４分木構造を示すパーティション情報を決定することと、
前記複数のリーフのサブセットの親ノードのための、前記複数のリーフの前記サブセットによって共有されるコンポーネント間フィルタパラメータを決定することと、
各個々のリーフに固有のコンポーネント間フィルタパラメータを決定することと、ここにおいて、前記親ノードのための前記共有されるコンポーネント間フィルタパラメータおよび各個々のリーフのための前記固有のコンポーネント間フィルタパラメータが、前記クロマピクセルのプロパティと、前記複数のルーマピクセルのうちの１つまたは複数のプロパティとに基づいており、ハイパスフィルタ係数、量子化パラメータ、またはシフトパラメータのうちの少なくとも１つを備える、
前記パーティション情報と前記共有されるおよび固有のコンポーネント間フィルタパラメータとを使用して前記レイヤ間参照ピクチャを復号することと
を備える、方法。
【請求項２５】
前記レイヤ間参照ピクチャの前記パーティション情報が、前記レイヤ間参照ピクチャの、ピクチャ解像度、最小コーディングユニットサイズ、最大コーディングユニットサイズ、またはタイルサイズに基づいている、請求項２４に記載の方法。
【請求項２６】
選択されたリーフと前記選択されたリーフの空間ネイバーリーフとが同じコンポーネント間フィルタパラメータを共有するように、前記選択されたリーフを前記空間ネイバーリーフとマージすることをさらに備える、請求項２４に記載の方法。
【請求項２７】
前記プロセッサが、前記４分木構造の４分木区分を決定するために４分木深度情報を使用するようにさらに構成された、請求項２４に記載の装置。
【請求項２８】
フィルタ係数、量子化パラメータ、またはシフトパラメータのうちの少なくとも１つが複数の前記リーフについて同じである、請求項２４に記載の方法。
【請求項２９】
前記コンポーネント間フィルタパラメータを前記決定することが、異なるリーフに関連する２つのコンポーネント間フィルタパラメータ間の差分を示す差分情報を受信することを備える、請求項２４に記載の方法。
【請求項３０】
前記コンポーネント間フィルタパラメータを前記決定することが、あらかじめ定義されたフィルタパラメータセットの１つまたは複数のインデックス値を受信することを備える、請求項２４に記載の方法。